(57)【要約】【課題】読取装置の走査により、プラテンガラス上に載置された読取対象を読み取るフラットベッドスキャナにおいて、原稿が不定形のものであっても、用紙（転写紙）のどこにコピーされるかを容易に確認することができ、且つ原稿の位置合わせを容易に行なうことのできる、作業性の良いフラットベッドスキャナを提供することを課題とする。【解決手段】前記プラテンガラス２の載置面、又はその裏面に、前記読取装置に搭載された光源からの光と略同波長領域の光が通過可能な透光性色材で、読取対象を載置するときの目安を設ける。この目安は、目安線１１・１２・１３・１４・１５・１６として、例えば、定型サイズの用紙の長辺と短辺とに対応させて設けられ、用紙サイズごとに複数設けられる。【選択図】　図２
2004144832.tif 000002
【特許請求の範囲】
【請求項１】
読取装置の走査により、プラテンガラス上に載置された読取対象を読み取るフラットベッドスキャナにおいて、
前記プラテンガラスの載置面、又はその裏面に、前記読取装置に搭載された光源からの光と略同波長領域の光が通過可能な透光性色材で、読取対象を載置するときの目安を設けたことを特徴とするフラットベッドスキャナ。
【請求項２】
前記目安は、定型サイズの用紙の少なくとも２辺に対応させて設けられ、用紙サイズごとに複数設けられたことを特徴とする請求項１に記載のフラットベッドスキャナ。
【請求項３】
前記目安は、定型サイズの用紙の少なくとも１つの隅部に対応させて設けられ、用紙サイズごとに複数設けられたことを特徴とする請求項１に記載のフラットベッドスキャナ。
【請求項４】
前記目安は、定型サイズの用紙の長辺の一部と短辺の一部とに対応させて設けられ、用紙サイズごとに複数設けられたことを特徴とする請求項１、または請求項３に記載のフラットベッドスキャナ。
【発明の詳細な説明】
【０００１】
【発明の属する技術分野】
本発明は、読取装置の走査により、プラテンガラス上に載置された読取対象を読み取るフラットベッドスキャナの構成に関する。
【０００２】
【従来の技術】
従来より、一般に用いられているフラットベッドスキャナは、原稿を読取載置台のプラテンガラス上に載置する時には、該プラテンガラスの周囲の読取載置台に設けられた原稿サイズ目盛り等を基準として原稿位置を決定している。
ところで、プラテントガラス上に置く原稿が切り取られた物や不定形である場合等、前記プラテンガラスの周囲に設けられた原稿サイズ目盛りでは、必要な部分を全部コピーするために原稿の位置をうまく合わせ難い。そこで、特開平５−２７３６７０号公報では、以下のような発明が開示されている。
【０００３】
同号公報の図１に示すように、複写機１に対して原稿押さえ部材２がヒンジ２ａで開閉自在に取り付けられており、この原稿押さえ部材２とプラテンガラス４の間に、原稿載置位置表示部材３がヒンジ３ａによって、プラテンガラス４に対して開閉自在に取り付けられている。このヒンジ３ａはヒンジ２ａと同じ位置に２重ヒンジ形式で設けられている。原稿載置位置表示部材３は、透明若しくは判透明のシート部材からなっており、同号公報の図２に示すように、その表面には複写機１の図示しない感光体が感光しにくい色によって各用紙サイズの枠３ｂが印刷されている。また、この原稿載置位置表示部材３には変形の十字型をした位置調整スリット３ｃが設けられている。
【０００４】
同号公報の発明では、プラテンガラス４上に定形の原稿を載置し、その上に原稿載置位置表示部材３を載せて、用紙サイズの枠３ｂと比較することにより、原稿のコピー用紙サイズを、あるいは用紙のどこにコピーされるかを確認する。また、原稿が不定形である場合も同様に、この原稿載置位置表示部材３の用紙サイズの枠３ｂと比較することにより、どの用紙を用いればその原稿（若しくはコピーしようとする部分）が全部コピーできるかを確認する。そして、上記の如く用紙サイズの確認を行った後、必要に応じて、原稿載置位置表示部材３の位置調整スリット３ｃを用いて、原稿を直接手で触れて、原稿の位置をずらすことにより、原稿位置の調整（位置合わせ）を行なう。
【０００５】
さらに、原稿が定形であり、サイズも分かっている場合等、原稿載置位置表示部材３を必要としない場合は、原稿押さえ部材２に接着されている固定部材である、同号公報図１のマジックテープ（登録商標）５と、原稿載置位置表示部材３に接着されている、同号公報図２のマジックテープ（登録商標）６とを互いに密着させることにより、同号公報の図３に示すように、原稿押さえ部材２と原稿載置位置表示部材３とを一体化させて、作業の妨げにならないようにしている。
【０００６】
【特許文献１】
特開平５−２７３６７０号公報
【０００７】
【発明が解決しようとする課題】
しかしながら、前記従来技術では、定型サイズの原稿と、不定形サイズの原稿とをコピーする場合に、いちいち原稿載置位置表示部材３を原稿押さえ部材２に着脱していては手間であり、作業性があまり良いとは言えない。
【０００８】
また、不定形サイズの原稿を原稿載置位置表示部材３上にセットして、原稿押さえ部材２を閉めたときに、マジックテープ（登録商標）５・６が接着し、コピーを終えて原稿押さえ部材２を開けたときに、該不定形サイズの原稿は原稿押さえ部材２と原稿載置位置表示部材３との間に挟まれたまま、該原稿押さえ部材２とともに持ち上げられてしまう。この場合、ユーザーは該マジックテープ（登録商標）５・６の接着を外して、該原稿載置位置表示部材３と該原稿押さえ部材２との間から、該不定形サイズの原稿をいちいち取り除く必要があり、作業性があまり良くない。
【０００９】
しかも、ユーザーが不定形サイズの原稿を取り除くのをうっかりと忘れて、該不定形サイズの原稿が原稿押さえ部材２と原稿載置位置表示部材３との間に挟まれたまま放置されていると、これに気が付かずに、次のユーザーがプラテンガラス４上に定型サイズの原稿をセットしてコピーしたときに、該定型サイズの原稿画像と該不定形サイズの原稿画像とが重ねてコピーされてしまうということがあった。
【００１０】
さらに、マジックテープ（登録商標）５・６が接着されていない原稿載置位置表示部材３がフリーの状態のときに、原稿押さえ部材２を閉めると、プラテンガラス４上の原稿載置位置表示部材３が風圧で浮き上がって、ときには該原稿載置位置表示部材３の角部が折り曲げられることがあった。
【００１１】
そこで、本発明では、これらの点を鑑みて、原稿が不定形のものであっても、給紙カセット等から供給される用紙（転写紙）のどこにコピーされるかを容易に確認することができ、且つ原稿の位置合わせを容易に行なうことのできる、作業性の向上を図ったフラットベッドスキャナを提供することを課題とする。
【００１２】
【課題を解決するための手段】
本発明の解決しようとする課題は以上の如くであり、次にこの課題を解決するための手段を開示する。
まず、請求項１に記載のように、読取装置の走査により、プラテンガラス上に載置された読取対象を読み取るフラットベッドスキャナにおいて、前記プラテンガラスの載置面、又はその裏面に、前記読取装置に搭載された光源からの光と略同波長領域の光が通過可能な透光性色材で、読取対象を載置するときの目安を設ける。
【００１３】
また、請求項２に記載のように、前記目安は、定型サイズの用紙の少なくとも２辺に対応させて設けられ、用紙サイズごとに複数設けられる。
【００１４】
あるいは、請求項３に記載のように、前記目安は、定型サイズの用紙の少なくとも１つの隅部に対応させて設けられ、用紙サイズごとに複数設けられる。
【００１５】
若しくは、請求項４に記載のように、前記目安は、定型サイズの用紙の長辺の一部と短辺の一部とに対応させて設けられ、用紙サイズごとに複数設けられる。
【００１６】
【発明の実施の形態】
以下に、本発明の実施の一形態を、フラットベッドスキャナを備えたコピー・ファクシミリ複合機１を参照しながら説明する。
【００１７】
図１はコピー・ファクシミリ複合機１の全体斜視図であり、複合機１の本体は、複数の給紙カセットを備えた給紙部５上に載置固定されており、該本体内に、画像読取部３と、画像形成装置としての画像記録部４が上下に配置されている。本体上部には読取載置台６が形成され、該読取載置台６内部に画像読取部３が設けられている。読取載置台６からは手前方向に操作部９が延設されており、該操作部９上に、各種操作キーが配置されている。読取載置台６の上面中央にはプラテンガラス２が敷設されており、該読取載置台６上にはプラテンカバー７が該プラテンガラス２に対して開閉自在に設けられて、該プラテンカバー７の一側部には自動原稿搬送装置（ＡＤＦ）８が付設されている。
【００１８】
前記画像読取部３は、プラテンガラス２上に載置された静止原稿などを、読取載置台６内に設けられた読取装置を走査させて読み取りを行うフラットベッドタイプのスキャナとして用いられるとともに、該読取装置を該読取載置台６内の一側部に位置固定して、原稿をＡＤＦ８に給送しながら読み取りを行うシートフィードタイプのスキャナとして用いられる。
【００１９】
図２はプラテンガラス２の平面図であり、図中におけるプラテンガラス２の左上頂点部分が、原稿セット位置における原稿位置合わせ基準０となっている。該原稿位置合わせ基準０に、矩形の原稿の一頂点を合わせて、原稿がプラテンガラス２上にセットされる。
【００２０】
プラテンガラス２の載置面、又はその裏面に、ドロップアウトカラーの色材で、原稿や書籍などの読取対象を載置するときの目安が設けられている。ここで、ドロップアウトカラーの色材とは、前記画像読取部３の読取装置に搭載された光源からの光と略同波長領域の光が通過することができる無色以外の透光性色材のことをいう。つまり、ドロップアウトカラーとは、光源からの光の色と同じ色である透過率（色が薄い）の高い色材である。つまり、緑の透明フィルムが緑色に見えるのは、緑の波長光を主に通し、他の波長を通さない（通し難い）ためである。そのため、プラテンガラス２上に設けられた目安の色として、光源光に対して透過率の高い色材を選べば良い。
【００２１】
具体的には、画像読取部３の読取装置の光源としては、緑色光が広く利用されており、該緑色光が光源に用いられる複合機１の場合は、プラテンガラス２上に透光性の緑色の色材で、読取対象を載置するときの目安が設けられる。
【００２２】
この目安はドロップアウトカラーの色材で、直接、プラテンガラス２に書き込むか、若しくは、ドロップアウトカラーの色材で目安が書き込まれたフィルムをプラテンガラス２に貼り付けるなどして設けられ、以下に３つの実施例を説明する。
【００２３】
図２に示すように、まず、第１実施例では、読取対象を載置するときの目安は、定型サイズの用紙の長辺と短辺との２辺に対応させて設けられ、用紙サイズごとに複数設けられている。
【００２４】
プラテンガラス２の短手方向を主走査方向、長手方向を副走査方向として、前記原稿位置合わせ基準０に、原稿など読取対象の一頂点が位置合わせされる。プラテンガラス２の載置面、またはその裏面には、該原稿位置合わせ基準０に対して内側から、名刺サイズの用紙の長辺と短辺との２辺に対応させた第１目安線１１、ハガキサイズの用紙の長辺と短辺との２辺に対応させた第２目安線１２、Ｂ５サイズの用紙の長辺と短辺との２辺に対応させた第３目安線１３、Ａ４サイズの用紙の長辺と短辺との２辺に対応させた第４目安線１４、Ｂ４サイズの用紙の長辺と短辺との２辺に対応させた第５目安線１５、Ａ３サイズの用紙の長辺と短辺との２辺に対応させた第６目安線１６の順に、複数の目安線１１・１２・１３・１４・１５・１６が設けられている。これらの目安線１１・１２・１３・１４・１５・１６は、それぞれ視覚を通じて目立つような線幅で描かれている。
【００２５】
目安線１１・１２は、対応するサイズの用紙の長辺が主走査方向となり、目安線１３・１４・１５・１６については、対応するサイズの用紙の長辺が副走査方向となるように配置されている。従って、Ａ４サイズの用紙の長辺を主走査方向に向けて横置きにする場合などは、対応する目安線がない。Ａ４サイズの用紙を横置きにする場合は、該Ａ４サイズの用紙の短辺の外端部をプラテンガラス２の外枠の「Ａ４横／Ａ５」位置の目盛りに合わせるとともに、該Ａ４サイズの用紙の長辺をプラテンガラス２上で第６目安線１６の長辺に合わせればよい。
【００２６】
なお、Ａ４サイズなどの横置き用の目安線を、前記の目安線１１・１２・１３・１４・１５・１６とともに設けてもよい。この場合、プラテンガラス２に描かれる目安線はやや煩雑となり、そこで、例えば、緑色光が光源に用いられる複合機１では、プラテンガラス２の載置面、またはその裏面に、縦置き用の目安線と横置き用の目安線とを、それぞれ透光性の緑色の色材と、透光性の黄色の色材で設けるなどしてもよく、前記画像読取部３の読取装置の光源からの光と略同波長の異なる２色の透光性色材で、縦置き用の目安線と横置き用の目安線を配置してもよい。ただし、この２色の透光性色材は、ともに、画像読取部３の読取装置の光源からの光を良好に透過させる色材とする。
【００２７】
あるいは、縦置き用の目安線と横置き用の目安線とはドロップアウトカラーの色材の同色であって、一方を実線で、他方を破線にするなど、縦置き用の目安線と横置き用の目安線とで線種を異にしてもよく、目安線の本数や構成は特に限定はしないものとする。
【００２８】
次に、プラテンガラス２上に読取対象を載置するときの目安の第２実施例について説明する。
図３に示すように、第２実施例では、読取対象を載置するときの目安は、定型サイズの用紙の１つの隅部に対応させて設けられるとともに、該定型サイズの用紙の長辺の外端部と短辺の外端部とにそれぞれ対応させて設けられて、用紙サイズごとに複数設けられている。
【００２９】
プラテンガラス２には、原稿位置合わせ基準０に対して内側から略対角方向に向けて、名刺サイズの用紙の隅部に対応させた第１Ｌ字型目安線２１、ハガキサイズの用紙の隅部に対応させた第２Ｌ字型目安線２２、Ｂ５サイズの用紙の隅部に対応させた第３Ｌ字型目安線２３、Ａ４サイズの用紙の隅部に対応させた第４Ｌ字型目安線２４、Ｂ４サイズの用紙の隅部に対応させた第５Ｌ字型目安線２５、Ａ３サイズの用紙の隅部に対応させた第６Ｌ字型目安線２６の順に、複数のＬ字型目安線２１・２２・２３・２４・２５・２６が設けられている。
【００３０】
また、プラテンガラス２の縁部における、原稿位置合わせ基準０から副走査方向に向けて、名刺サイズの用紙の短辺の外端部に対応させた第１垂直目安線３１、ハガキサイズの用紙の短辺の外端部に対応させた第２垂直目安線３２、Ｂ５サイズの用紙の長辺の外端部に対応させた第３垂直目安線３３、Ａ４サイズの用紙の長辺の外端部に対応させた第４垂直目安線３４、Ｂ４サイズの用紙の長辺の外端部に対応させた第５垂直目安線３５、Ａ３サイズの用紙の長辺の外端部に対応させた第６垂直目安線３６の順に、複数の垂直目安線３１・３２・３３・３４・３５・３６が設けられている。
【００３１】
一方、プラテンガラス２の縁部における、原稿位置合わせ基準０から主走査方向に向けて、名刺サイズの用紙の長辺の外端部に対応させた第１水平目安線４１、ハガキサイズの用紙の長辺の外端部に対応させた第２水平目安線４２、Ｂ５サイズの用紙の短辺の外端部に対応させた第３水平目安線４３、Ａ４サイズの用紙の短辺の外端部に対応させた第４水平目安線４４、Ｂ４サイズの用紙の短辺の外端部に対応させた第５水平目安線４５、Ａ３サイズの用紙の短辺の外端部に対応させた第６水平目安線４６の順に、複数の水平目安線４１・４２・４３・４４・４５・４６が設けられている。
【００３２】
これらのＬ字型目安線２１・２２・２３・２４・２５・２６と、垂直目安線３１・３２・３３・３４・３５・３６と、水平目安線４１・４２・４３・４４・４５・４６とは、それぞれ視覚を通じて目立つような線幅で描かれている。
【００３３】
Ａ４サイズなどの用紙を横置きにセットする場合は、該Ａ４サイズの用紙の短辺の外端部をプラテンガラス２の外枠の「Ａ４横／Ａ５」位置の目盛りに合わせるとともに、該Ａ４サイズの用紙の長辺の外端部をプラテンガラス２上で第６水平目安線４６に合わせればよい。
【００３４】
なお、Ａ４サイズなどの横置き用のＬ字型目安線や垂直目安線を、前記の目安線２１・２２・・・、３１・３２・・・、４１・４２・・・、とともに設けてもよい。この場合、プラテンガラス２に描かれる目安線はやや煩雑となる。
【００３５】
あるいは、縦置き用の各種目安線と横置き用の各種目安線とはドロップアウトカラーの色材の同色であって、一方を実線で、他方を破線にするなど、縦置き用の目安線と横置き用の目安線とで線種を異にしてもよく、目安線の本数や構成は特に限定はしないものとする。
【００３６】
次に、プラテンガラス２上に読取対象を載置するときの目安の第３実施例について説明する。
図４に示すように、第３実施例では、読取対象を載置するときの目安は、定型サイズの用紙の長辺の外端部と短辺の外端部とにそれぞれ対応させて設けられ、用紙サイズごとに複数設けられている。
すなわち、第３実施例のプラテンガラス２には、前記第２実施例のプラテンガラス２に設けられたＬ字型目安線２１・２２・２３・２４・２５・２６がない構成で、第２実施例と同様の配置構成で、垂直目安線３１・３２・３３・３４・３５・３６と、水平目安線４１・４２・４３・４４・４５・４６とが配置されている。
【００３７】
なお、第３実施例では、プラテンガラス２の縁部における、第２垂直目安線と第３垂直目安線との間に、Ａ５サイズの用紙の短辺の外端部に対応させた第７垂直目安線３７が、第３垂直目安線と第４垂直目安線との間に、Ａ５サイズの用紙の長辺の外端部に対応させた第８垂直目安線３８が、それぞれ設けられている。また、プラテンガラス２の周囲の読取載置台６側に設けられていた、「名刺」、「ハガキ」、「Ａ５」、・・・の読取対象の置き位置を指定する目盛りを全てなくして、替わりに該目盛りはプラテンガラス２の縁部の載置面、又はその裏面に、ドロップアウトカラー色材で配置されている。該目盛りも該ドロップアウトカラーの色材で、直接、プラテンガラス２に書き込むか、若しくは、該ドロップアウトカラーの色材で目盛りが書き込まれたフィルムをプラテンガラス２に貼り付けるなどして設けられている。
このような構成で、読取載置台２上面がすっきりして、視覚を通じて美感をおこさせ、デザイン性が向上する。
【００３８】
この第３実施例では、Ａ４サイズなどの用紙を横置きにセットする場合、該Ａ４サイズの用紙の短辺の外端部をプラテンガラス２の縁部の第８垂直目安線３８に合わせるとともに、該Ａ４サイズの用紙の長辺の外端部をプラテンガラス２上で第６水平目安線４６に合わせればよい。
【００３９】
なお、プラテンガラス２に描かれる目安線が多くなることから、例えば、緑色光が光源に用いられる複合機１において、プラテンガラス２の載置面、またはその裏面に、縦置き用の各種目安線と横置き用の各種目安線とを、それぞれ透光性の緑色の色材と、透光性の黄色の色材で設けるなどしてもよく、前記画像読取部３の読取装置の光源からの光と略同波長の異なる２色の透光性色材で、縦置き用の各種目安線と横置き用の各種目安線を配置してもよい。ただし、この２色の透光性色材は、ともに、画像読取部３の読取装置の光源からの光を良好に透過させる色材とする。
【００４０】
あるいは、縦置き用の各種目安線と横置き用の各種目安線とはドロップアウトカラーの色材の同色であって、一方を実線で、他方を破線にするなど、縦置き用の目安線と横置き用の目安線とで線種を異にしてもよく、目安線の本数や構成は特に限定はしないものとする。
【００４１】
以上、読取対象を載置するときの目安について、３つの実施例を説明したが、該目安は上記実施例に限定されるものはなく、勿論、これ以外の構成であってもよい。
【００４２】
このように本発明によれば、プラテンガラス２上に直接、読取対象を載置して、該読取対象が不定形のものであっても、給紙部５等から供給される用紙（転写紙）のどこにコピーされるかを容易に確認することができ、且つ該読取対象の位置合わせを容易に行なうことのできて、作業性が向上する。また、このプラテンガラス２の載置面、又はその裏面には、読取装置に搭載された光源からの光と略同波長の透光性色材で、読取対象を載置するときの目安が設けられているので、該目安により原稿読取時に筋が入るなどの悪影響が出ることがない。
【００４３】
【発明の効果】
本発明は、以上のように構成したので、次に示すような効果を奏する。
まず、請求項１に記載の発明では、プラテンガラス上に直接、読取対象を載置して、該読取対象が不定形のものであっても、給紙部から供給される用紙（転写紙）のどこにコピーされるかを容易に確認することができ、且つ該読取対象の位置合わせを容易に行なうことのできて、作業性が向上する。また、このプラテンガラスの載置面、又はその裏面には、読取装置に搭載された光源からの光と略同波長領域の光が通過可能な透光性色材で、読取対象を載置するときの目安が設けられているので、該目安により原稿読取時に筋が入るなどの悪影響が出ることがない。
【００４４】
また、請求項２に記載の発明では、前記目安は、定型サイズの用紙の少なくとも２辺に対応させて設けられ、用紙サイズごとに複数設けられたことで、プラテンガラス上に直接、読取対象を載置して、該読取対象が不定形のものであっても、給紙部から供給される用紙（転写紙）のどこにコピーされるかを容易に確認することができ、且つ該読取対象の位置合わせを容易に行なうことのできて、作業性が向上する。
【００４５】
そして、請求項３に記載の発明では、前記目安は、定型サイズの用紙の少なくとも１つの隅部に対応させて設けられ、用紙サイズごとに複数設けられたことで、プラテンガラス上に直接、読取対象を載置して、該読取対象が不定形のものであっても、給紙部から供給される用紙（転写紙）のどこにコピーされるかを容易に確認することができ、且つ該読取対象の位置合わせを容易に行なうことのできて、作業性が向上する。
【００４６】
また、請求項４に記載の発明では、前記目安は、定型サイズの用紙の長辺の一部と短辺の一部とに対応させて設けられ、用紙サイズごとに複数設けられたことで、プラテンガラス上に直接、読取対象を載置して、該読取対象が不定形のものであっても、給紙部から供給される用紙（転写紙）のどこにコピーされるかを容易に確認することができ、且つ該読取対象の位置合わせを容易に行なうことのできて、作業性が向上する。
【図面の簡単な説明】
【図１】複合機１の斜視図。
【図２】第１実施例に係る目安を備えたプラテンガラス２の平面図。
【図３】第２実施例に係る目安を備えたプラテンガラス２の平面図。
【図４】第３実施例に係る目安を備えたプラテンガラス２の平面図。
【符号の説明】
１　　　　複合機
２　　　　プラテンガラス
３　　　　画像読取部
１１〜１６　目安線
２１〜２６　Ｌ字型目安線
３１〜３８　垂直目安線
４１〜４６　水平目安線
【図１】
2004144832.tif 000003
【図２】
2004144832.tif 000004
【図３】
2004144832.tif 000005
【図４】
2004144832.tif 000006